(57)【要約】      （修正有）【課題】持ち重りを防止すると共に耐久性を向上させつつ、糸絡みを防止できるトップガイドの製造を容易にする。【解決手段】竿１０の先端部に装着する金属製パイプ部１２に連結された金属製環状枠体部１４とを有する金属製フレーム体２０と、前記環状枠体部１４の前後に露出した前側露出部の外周面２２Ｐには凹凸部が存在せず、前記パイプ部１２の軸線方向に対して略直角になるように装着されたガイドリング２２と、中央部に前記パイプ部１２を挿入できる孔部を有し、後端をパイプ部１２の所定位置に位置させると先端２４Ｚが少なくとも前記環状枠体部１４の外周面に至っており、該先端面の上端は、ガイドリング中心の高さ位置よりも角度で１５度下がった位置以上の高さ位置であり、概ね左右幅を拡大して行く糸絡み防止部品２４とを具備するよう構成する。【選択図】図１
2005040066.tif 000002
【特許請求の範囲】
【請求項１】
竿の先端部に装着する金属製パイプ部と、該パイプ部に連結され、竿先端部の径方向一側に突出状に設けられている金属製環状枠体部とを有する金属製フレーム体と、
前記環状枠体部の内側に保持されつつ環状枠体部の前後に露出しており、該前側露出部の外周面には凹凸部が存在せず、その前端面と後端面との中間位置の仮想面が前記パイプ部の軸線方向に対して略直角になるように装着されたガイドリングと、
前記パイプ部構成金属よりも、また、環状枠体部構成金属よりも、比重の小さな合成樹脂材の射出成形品であり、中央部に前記パイプ部を挿入できる孔部を有し、後端をパイプ部の所定位置に位置させると先端が少なくとも前記環状枠体部の外周面に至っており、該先端面の上端は、前記突出方向である上下方向高さ位置では、ガイドリング中心の高さ位置よりも角度で１５度下がった位置以上の高さ位置であり、外郭形状は、後端部から前方に行くに従って釣糸の引っ掛り難い形状で概ね左右幅を拡大して行くか、又は途中位置で最大幅となり、その先部が概ね左右幅を縮小して前記先端に至る糸絡み防止部品と
を具備することを特徴とする外ガイドを有する釣竿。
【請求項２】
前記糸絡み防止部品先端面の上端の上下方向高さ位置は、ガイドリング中心高さ位置から、角度で１５度までの範囲内の上側である請求項１記載の外ガイドを有する釣竿。
【請求項３】
前記糸絡み防止部品後端の直後領域と、前記パイプ部材後端の直後領域とに糸状体の巻回、テープの巻回、又は該糸絡み防止部品よりも柔軟なチューブを被せて各段差を緩和している請求項１又は２記載の外ガイドを有する釣竿。
【発明の詳細な説明】
【技術分野】
【０００１】
本発明は外ガイドを有する釣竿に関し、特にトップガイド部の構造に関するものである。
【背景技術】
【０００２】
中通し釣竿と異なって、外ガイド付き釣竿は釣糸がガイドに絡む虞があるが、製造が容易であったり、メインテナンスが容易であったりするため、従来から多用されている。この外ガイド付き釣竿の上記欠点を補うために、装着するガイドを前方に傾斜させたり、ガイドの装着足部材とガイドリングを保持する環状枠体部の左右両側夫々を傾斜状アーム部材で連結した構造を採用したりしている。傾斜状アーム部材は装着足部材に対してロー付け等がなされている。また、例えば下記特許文献１には、円錐状のカバー部材を設け、一見、中通し釣竿のように構成して糸絡みを防止する構造が開示されている。一般にトップガイドの構造は、竿先部に装着する金属製パイプ部（装着足部材）と、該パイプ部に連結され、竿先部の径方向一側に突出状に設けられてガイドリングを保持している金属製環状枠体部とを有する。
【特許文献１】特開２００１−２０４３０７号公報
【発明の開示】
【発明が解決しようとする課題】
【０００３】
然しながら、前者の傾斜状アーム部材を装着足部に対してロー付け等の作業を行うのは、保持冶具等を要し、作業が簡便でない。特に、トップガイドは小さく、そのロー付け等の作業が更にやり難くなり、小物用の釣竿では各ガイドは更に小さく、尚更である。また、トップガイドは先端位置にあるため持ち重り防止も重要な設計要素となる。更に、後者の公報開示の場合は、穂先部における糸絡みは充分に防止できるが、カバー部材の後端部位置では、やはり糸絡みが防止できない他、比較的長い大きな部材であるため、釣竿として致命的な持ち重りが生ずることは避けられない。更には、糸絡み防止のためにはガイドを前方に傾斜させることが多いが、釣糸には獲物による強い引きの力が作用するため、特にトップガイドを前方傾斜させた構造では、特にガイドを竿の下側にして釣りを行っている場合に、釣糸の引きの力はガイドリングを介してトップガイドの金属製枠体部と金属製パイプ部との連結部を更に折り曲げるように作用する。従って、トップガイドを前方傾斜させた構造は損傷し易い。
依って本発明の解決しようとする課題は、持ち重りを防止すると共に耐久性を向上させつつ、糸絡みを防止できるトップガイドの製造を容易にすることである。
【課題を解決するための手段】
【０００４】
本発明は請求項１では、竿の先端部に装着する金属製パイプ部と、該パイプ部に連結され、竿先端部の径方向一側に突出状に設けられている金属製環状枠体部とを有する金属製フレーム体と、前記環状枠体部の内側に保持されつつ環状枠体部の前後に露出しており、該前側露出部の外周面には凹凸部が存在せず、その前端面と後端面との中間位置の仮想面が前記パイプ部の軸線方向に対して略直角になるように装着されたガイドリングと、前記パイプ部構成金属よりも、また、環状枠体部構成金属よりも、比重の小さな合成樹脂材の射出成形品であり、中央部に前記パイプ部を挿入できる孔部を有し、後端をパイプ部の所定位置に位置させると先端が少なくとも前記環状枠体部の外周面に至っており、該先端面の上端は、前記突出方向である上下方向高さ位置では、ガイドリング中心の高さ位置よりも角度で１５度下がった位置以上の高さ位置であり、外郭形状は、後端部から前方に行くに従って釣糸の引っ掛り難い形状で概ね左右幅を拡大して行くか、又は途中位置で最大幅となり、その先部が概ね左右幅を縮小して前記先端に至る糸絡み防止部品とを具備することを特徴とする外ガイドを有する釣竿を提供する。
略直角とは、９０度±１５度、好ましくは±１０度の範囲である。
概ね左右幅を拡大とは、前方に進むに従って、漸増する形態は勿論含み、部分的には幅が小になったり一定であったりしても、全体としてみれば段々と大になる形態を含む。
概ね左右幅を縮小も同様であり、前方に進むに従って、漸減する形態は勿論含み、部分的には幅が大になったり一定であったりしても、全体としてみれば段々と小になる形態を含む。
【０００５】
請求項２では、前記糸絡み防止部品先端面の上端の上下方向高さ位置は、ガイドリング中心高さ位置から、角度で１５度までの範囲内の上側である請求項１記載の外ガイドを有する釣竿を提供する。
請求項３では、前記糸絡み防止部品後端の直後領域と、前記パイプ部材後端の直後領域とに糸状体の巻回、テープの巻回、又は該糸絡み防止部品よりも柔軟なチューブを被せて各段差を緩和している請求項１又は２記載の外ガイドを有する釣竿を提供する。
【発明の効果】
【０００６】
本発明の請求項１では、ガイドリングがパイプ部の軸線方向に対して略直角である、即ち、竿の延伸方向と略直角に装着されているため、釣糸から受ける引き力はそのガイドリングの装着方向となり、金属製フレーム体のパイプ部と環状枠体部との連結部を更に曲げる虞が少ない。従って、トップガイドの耐久性が向上する。また、糸絡み防止部品の先端は環状枠体部の外周面に至っている。即ち、先端が環状枠体部の後端面よりも前側に位置しており、更に、ガイドリングの環状枠体部よりも前側に露出した外周面には凹凸部が存在しないため、糸絡みすることが防止される（釣糸が前記先端と環状枠体部の後端面との間に挟持されたり、該先端よりも前側領域で糸絡みすることが防止される）。また、ガイドリングが竿の延伸方向と略直角であると共に、環状枠体部の前後に露出しているため、釣りの最中に釣糸が環状枠体部に接触する虞が小さくなり、糸抵抗の増大や糸切れが防止できる。更には、糸絡み防止部品自体は、その外郭形状が上に記述の如くであるため、糸絡みが防止されており、これの先端の高さ位置は、ガイドリング中心高さ位置の近く以上であるため、釣糸のガイドリングへの糸絡みが防止される。また、糸絡み防止部品は上述の通りの比重の小さな合成樹脂材であるため、軽量化に寄与し、持ち重りを防止する。更には、糸絡み防止部品は、金属製フレーム体とは別部品として射出成形によって成形され、該フレーム体のパイプ部を挿入できる孔部を有しているため、ここにパイプ部を挿入するだけで（場合によっては接着剤を介在させて）両部品の組立ができ、非常に簡便にトップガイドの製造が可能となる。
【０００７】
請求項２では、糸絡み防止部品先端面上端の上下方向高さ位置は、ガイドリング中心高さ位置から角度で１５度までの範囲内の上側とすれば、釣糸がガイドリングに絡むことが更に確実に防止されると共に、糸絡み防止部品を無駄に大きくせず、持ち重り防止に役立つ。
請求項３では、糸絡み防止部品を別部品として成形するため、その端部は或る程度の肉厚を有している。このため、パイプ部材を挿入して組み立てた場合に、或る程度の段差が生じる。また、パイプ部を竿先部に嵌入させれば、そのパイプ部の後端部にも或る程度の段差が生じる。そこで、糸状体の巻回、テープの巻回、又は該糸絡み防止部品よりも柔軟なチューブを被せて、糸絡み防止部品後端部とパイプ部後端部の各段差を緩和して糸絡みを防止する。
【発明を実施するための最良の形態】
【０００８】
以下、本発明を図面を参照して更に詳細に説明する。図１は本発明に係る釣竿のトップガイド部の平面図、図２は図１の矢視線Ｂ−Ｂによる縦断面図、図３は図１の矢視線Ｃ−Ｃによる横断面図である。エポキシ樹脂等の合成樹脂をマトリックスとし、炭素繊維等の強化繊維で強化した繊維強化樹脂製穂先竿杆１０の先端部にトップガイドを装着している。トップガイドは、竿先端部を挿通させて被着させている金属製パイプ部１２と、該パイプ部の前端部に連結され、セラミックス等の耐摩耗性部材のガイドリング２２を内側に保持した金属製環状枠体部１４とを有する金属製フレーム体２０と、合成樹脂製の糸絡み防止部品２４とを有している。
【０００９】
糸絡み防止部品２４は、パイプ部１２と環状枠体部１４の各金属よりも比重の小さな合成樹脂材、例えば、ポリアミド、ＡＢＳ樹脂、発泡性樹脂等を射出成形して形成しており、軽量化を図っている。ガイドリング２２はその前端面２２Ｚ側の外周面２２Ｐと後端面２２Ｋ側の外周面とが、夫々、環状枠体部１４の前後に露出するように保持されている。また、保持状態のガイドリングは、その前後端面２２Ｚ，２２Ｋの中間位置の仮想面２２Ｃがパイプ部の軸線方向、即ち、穂先竿杆１０の延伸方向に対して略直角に形成されている。従って、釣りの際に釣糸から力を受けても、環状枠体部とパイプ部との連結部が変形し難い。更には、釣糸が環状枠体部１４に接触し難い。
【００１０】
前記糸絡み防止部品２４はその左右幅方向の中央部に前記パイプ部１２を挿通させる孔２４Ｈが貫通形成されており、環状枠体部にガイドリングを保持した状態で、パイプ部をこの孔２４Ｈに挿入し、（必要に応じて接着剤を使用して）トップガイドを組み立てる。糸絡み防止部品の前端２４Ｚは、環状枠体部の外周面に至っている。即ち、前端２４Ｚの位置は、環状枠体部の後端面１４Ｋよりも適宜寸法Δだけ前側である。この糸絡み防止部品と環状枠体部との境界部としては、糸絡み防止部品と、環状枠体部１４の外周面との間Ｓ２と、環状枠体部の後端面１４Ｋとの間Ｓ１とが存在する。即ち、糸絡み防止部品２４は、境界部Ｓ１とＳ２とで形成される段差部を有している。
【００１１】
前記前端２４Ｚより前側の環状枠体部外周やガイドリング２２の外周面２２Ｐの辺りで、仮に釣糸が輪になって前方に引かれたとしても、糸絡みを生じることは無い。これは、ガイドリングの前側露出部の外周面２２Ｐには凹凸部が無いからである。また、仮に糸絡み防止部品の前端２４Ｚが、環状枠体部の後端面１４Ｋに突き当てられている状態（Δ＝０）であれば、この前端２４Ｚと後端面１４Ｋとの間に釣糸が挟持される虞があるが、本発明のように、前端２４Ｚが、環状枠体部の後端面１４Ｋよりも前方に位置しているため、前記間Ｓ１に釣糸が挟持されることは防止される。また、他の間Ｓ２は、前後方向に延伸した境界であるため、釣りにおいてここに釣糸が挟持される虞は殆ど無い。
【００１２】
図２や図３に現われているが、糸絡み防止部品２４のガイドリング側の表面は、ガイドリングの内面２２Ｓよりも低く（ガイドリング内面から径方向外側に離れる方向にあり、竿杆に近いとも表現できる）、釣糸の挿通を邪魔しない。更には、糸絡み防止部品２４の左右方向外郭２４Ｐの形状は、パイプ部１２の所定位置に位置している後端２４Ｋから、前方に行くに従って漸次拡大して前端２４Ｋに至っている。また、図２から分るが、該外郭は後端２４Ｋから前方に行くに従って漸次高くなって前端２４Ｋ近くに至り、その後同じ高さに形成されている。即ち、釣糸が絡み易い凹部は存在しない。
【００１３】
また、ガイドリング２２を保持した環状枠体部１４に至った糸絡み防止部品２４の前端面の最も高い上端位置は、図２や図３から明らかなように、ガイドリング中心２２Ｇの高さラインＬ１と一致している。従って、釣糸がこの上側半分のガイドリング部に絡もうとしても抜けてしまい、糸絡みが防止される。こうした糸絡み防止という観点からは、糸絡み防止部品２４の前端面の上端位置は、前記ラインＬ１を基準にした角度θ（１５度）までの範囲であれば、ラインＬ１の下側であってもよく、また、ラインＬ１の上側では頂部までどこでもよい。しかし、持ち重りを防止するためには、ラインＬ１の上側１５度までの範囲に留めるとよい。
【００１４】
更には、図２や図１に現われているが、ガイドリングの後端面２２Ｋに対面する領域での糸絡み防止部品２４の前端２４Ａは、前記後端面２２Ｋとの間に隙間を有する。これは、記述の境界部Ｓ１において、糸絡み防止部品２４を環状枠体部の後端面１４Ｋに対して押しつけるようにして組み立てるため、前記前端２４Ａは、ガイドリング後端面との間に幾分隙間を設けるように設定しているためであるが、丁度に設定して、隙間を無くしてもよい。
【００１５】
糸絡み防止部品の他の形態として、図４と図５に夫々の平面図を略示した部品２４’，２４”等がある。部品２４’はその外郭２４Ｐ’の左右幅が、後端２４Ｋ’から漸増ではなく、浅い凹所か、一定部を有しつつ段階的に増大する形態である。こうした形態も、釣糸が引っ掛り難い形態である限り本発明の範囲内である。また、図５のように、外郭２４Ｐ”が後端２４Ｋ”から途中位置まで漸増し、その後、漸減する形態でもよい。更には、この前半の漸増部が図４のような段階的な形態であっても、また、後半の漸減部が、図４の左右を反対にしたような段階的な形態であってもよい。
【００１６】
糸絡み防止部品２４は部品であるため、また、パイプ部１２も竿杆１０に対する装着部品であるため、夫々の後端部においては多少の段差が生じる。これらの段差部に釣糸が引っ掛って糸絡みが生じることを防止すべく、この例では、各部品の後端に糸状体２６を当接させるようにして巻回し、その後から合成樹脂を塗布して糸止めを行い、段差を緩和している。糸状体に代わり、テープの巻回、又は糸絡み防止部品よりも柔軟なチューブを被せる等でもよい。
【００１７】
上記例では、糸絡み防止部品の孔２４Ｈは周囲を完全に合成樹脂材で囲まれているが、例えば、円周の半分開放されている等の溝でもよく、或いは、左右から挟むだけで溝底が無く、上下方向に貫通していてもよく、要は、パイプ部１２を挿入して、そのまま、或いは接着剤の力を借りて保持できればよい。
【産業上の利用可能性】
【００１８】
本発明は、外ガイドを有する釣竿に適用できる。
【図面の簡単な説明】
【００１９】
【図１】本発明に係る釣竿のトップガイド部の平面図である。
【図２】図１の矢視線Ｂ−Ｂによる縦断面図である。
【図３】図１の矢視線Ｃ−Ｃによる横断面図である。
【図４】他の形態の糸絡み防止部品の略示平面図である。
【図５】他の形態の糸絡み防止部品の略示平面図である。
【符号の説明】
【００２０】
１０            穂先竿杆
１２            パイプ部
１４            環状枠体部
２０            金属製フレーム体
２２            ガイドリング
２４            糸絡み防止部品
２４Ｈ          孔
２４Ｋ          後端
２４Ｐ          外郭
２４Ｚ          前端
【図１】
2005040066.tif 000003
【図２】
2005040066.tif 000004
【図３】
2005040066.tif 000005
【図４】
2005040066.tif 000006
【図５】
2005040066.tif 000007